(57)【要約】      （修正有）【課題】ユーザーにとってより利便性の高い磁気筆記具を提供する。【解決手段】本発明の磁気筆記具１０は、磁気シート上に磁界を作用させることで磁気シート上に文字等を描画したり、描画した文字等を消去する機能を備えており、グリップ本体１００と、グリップ本体１００の一方の端部に設けられた太字用筆記部２００と他方の端部に設けられた細字用筆記部３００とを含む。太字用筆記部２００は、描画部２２０と消去部２３０とを含み、細字用筆記部３００は、描画部３２０と消去部３３０とを含む。描画部２３０、３３０および消去部２３０、３３０はそれぞれ磁石を包含し、かつ描画部２２０、３２０および消去部２３０、３３０とは互いに干渉しないように離間されている。【選択図】図１
2020196209.tif 000002
【特許請求の範囲】
【請求項１】
磁気シート上に磁界を作用させることで磁気シート上に文字等を描画したり、描画した文字等を消去する機能を備えた磁気筆記具であって、
グリップ本体と、
前記グリップ本体の少なくとも一方の端部に設けられた描画部および消去部とを有し、
前記描画部および前記消去部はそれぞれ磁石を包含し、かつ前記描画部および前記消去部とは互いに干渉しないように離間されている、磁気筆記具。
【請求項２】
前記描画部および前記消去部は、前記グリップ本体に対して回転可能である、請求項１に記載の磁気筆記具。
【請求項３】
前記描画部および前記消去部は、前記グリップ本体に対して着脱可能に取り付けられる、請求項１または２に記載の磁気筆記具。
【請求項４】
前記グリップ本体はさらに、他方の端部にもう一組の描画部および消去部を含み、一方の端部に設けられた描画部および消去部は太字用または細字用であり、他方の端部に設けられた描画部および消去部は細字用または太字用である、請求項１ないし３いずれか１つに記載の磁気筆記具。
【請求項５】
前記描画部と前記消去部との間の角度は可変である、請求項１に記載の磁気筆記具。
【請求項６】
前記描画部または前記消去部とは、ノック機構によりグリップ本体の開口から突出する、請求項１に記載の磁気筆記具。
【請求項７】
前記描画部または前記消去部は、グリップ本体に取り付けられた本体部から着脱可能である、請求項１に記載の磁気筆記具。
【発明の詳細な説明】
【技術分野】
【０００１】
本発明は、磁性を帯びた表示体を含む表示シートまたは磁気パネルに磁界を作用させ任意の文字、図形、記号等を描画したり、描画した文字、図形、記号等を消去することができる磁気筆記具に関する。
【背景技術】
【０００２】
磁性を帯びた表示体を含む磁気シートに対して先端部に磁石を取り付けた磁気ペンを移動させることで磁気シート上に磁界を作用させて移動軌跡に応じた文字、図形、記号等を描画させることができる（特許文献１など）。また、磁気シート上で磁気消去具を移動させることで描画された文字、図形、記号を消去することができる（特許文献２など）。
【先行技術文献】
【特許文献】
【０００３】
【特許文献１】特許第６１７９７８８号公報
【特許文献２】特許第６２１３８８６号公報
【発明の概要】
【発明が解決しようとする課題】
【０００４】
ユーザーは、描画するとき磁気ペンを使用し、描画した文字等を消去するとき、磁気消去具に持ち替える必要があり、このような作業は非常に煩雑である。また、１つの筆記具の一方のペン先に磁気描画機能を搭載し、他方のペン先に消去機能を搭載するものもあるが、この場合でも、描画時または消去時において筆記具のペン先を１８０度反転させる必要であり、この作業も依然として煩雑である。
【０００５】
本発明は、このような従来の課題を解決するものであり、ユーザーにとってより利便性の高い磁気筆記具を提供することを目的とする。
【課題を解決するための手段】
【０００６】
本発明に係る磁気筆記具は、磁気シート上に磁界を作用させることで磁気シート上に文字等を描画したり、描画した文字等を消去する機能を備えたものであって、グリップ本体と、前記グリップ本体の少なくとも一方の端部に設けられた描画部および消去部とを有し、前記描画部および前記消去部はそれぞれ磁石を包含し、かつ前記描画部および前記消去部とは互いに干渉しないように離間されている。
【０００７】
ある実施態様では、前記描画部および前記消去部は、前記グリップ本体に対して回転可能である。ある実施態様では、前記描画部および前記消去部は、前記グリップ本体に対して着脱可能に取り付けられる。ある実施態様では、前記グリップ本体はさらに、他方の端部にもう一組の描画部および消去部を含み、一方の端部に設けられた描画部および消去部は太字用または細字用であり、他方の端部に設けられた描画部および消去部は細字用または太字用である。ある実施態様では、前記描画部と前記消去部との間の角度は可変である。ある実施態様では、前記描画部または前記消去部とは、ノック機構によりグリップ本体の開口から突出する。ある実施態様では、前記描画部または前記消去部は、グリップ本体に取り付けられた本体部から着脱可能である。
【発明の効果】
【０００８】
本発明によれば、グリップ本体の少なくとも一方の端部に描画部と消去部とを設けるようにしたので、ユーザーは、描画から消去または消去から描画を行うときに、従来のように別のペンに持ち替えたり、ペンの端部を反転させる操作を行う必要がなくなり、利便性を向上させることができる。
【図面の簡単な説明】
【０００９】
【図１】本発明の第１の実施例に係る磁気筆記具の全体構成を示す概略斜視図である。
【図２】図２（Ａ）は、グリップ部の概略断面図、図２（Ｂ）は、太字用筆記部を示す平面図、図２（Ｃ）は、細字用筆記部を示す平面図である。
【図３】本発明の第１の実施例の磁気筆記具の使用状態の例示であり、図４（Ａ）は描画時、図４（Ｂ）は消去時を例示する。
【図４】本実施例の筆記部の描画部および消去部に角度調整機構を搭載したときの例であり、図３（Ａ）は、筆記部の正面図、図３（Ｂ）は、筆記部の模式的な側面図である。
【図５】本発明の第２の実施例に係る磁気筆記具を説明する図である。
【図６】本発明の第３の実施例に係る磁気筆記具を説明する図であり、図６（Ａ）は、グリップ本体の概略断面図、図６（Ｂ）は、太字用描画部の概略断面図、図６（Ｃ）は、細字用描画部の概略断面図、図６（Ｄ）は、消去部の概略断面図である。
【図７】本発明の第４の実施例に係る磁気筆記具を説明する図である。
【図８】本発明の第５の実施例に係る磁気筆記具を説明する図である。
【発明を実施するための形態】
【００１０】
次に、本発明の実施の形態について図面を参照して詳細に説明する。本発明の好ましい態様では、磁気筆記具は、少なくとも一方の端部に磁気描画部と磁気消去部とを備え、磁気シート上で磁気描画部を移動させることで磁気シートに文字、図形、絵等を描画することを可能にし、磁気シート上で磁気消去部を移動させることで描画された文字等の消去を可能にする。なお、本発明の実施の形態で説明する図で示された各構成は、実際の大きさとは異なる点に留意する。
【実施例】
【００１１】
図１は、本発明の実施例に係る磁気筆記具の全体を示す概略斜視図である。本実施例に係る磁気筆記具１０は、ペン型の円筒状のグリップ本体１００と、グリップ本体１００の一方の端部に取り付けられた太字用筆記部２００と、他方の端部に取り付けられた細字用筆記部３００とを含んで構成される。ここでは、グリップ本体１００の両端に太字用筆記部２００と細字用筆記部３００とが取り付けているが、太字用筆記部２００または細字用筆記部３００のいずれか一方が取り付けられるものであってもよい。また、太字用筆記部２００および細字用筆記部３００は、グリップ本体１００に対して着脱可能に取り付けることが可能である。
【００１２】
図２に、グリップ本体１００、太字用筆記部２００および細字用筆記部３００の詳細を示す。グリップ本体１００は、ユーザーにとって把持することが可能であれば任意な形状であることができ、円筒状以外にも角柱状（例えば、断面が三角形、四角形、多角形）であってもよい。また、グリップ本体１００は、任意の材料から構成することができ、例えば、プラスチックや金属などから構成される。また、グリップ本体１００は、図２（Ａ）に示すように一様の太さであってもよいし、図２（Ｂ）に示すように、一様な太さではなく、例えば、端部に向けて細くなるようなテーパが形成されていてもよい。さらにグリップ本体１００の外形には、把持し易くなるような凹部や凸部が形成されてもよい。
【００１３】
１つの例では、グリップ本体１００の内部は空洞であり、一方の端部の開口１１０内に太字用筆記部２００が挿入され、他方の端部の開口１１２内に細字用筆記部３００が挿入される。太字用筆記部２００および細字用筆記部３００は、開口１１０、１１２内に挿入される。
【００１４】
太字用筆記部２００は、図２（Ｂ）に示すように、グリップ本体１００の開口１１０内に挿入される円柱状の本体部２１０と、本体部２１０に接続された描画部２２０および消去部２３０とを有する。本体部２１０は、上記したように、開口１１０の径よりも幾分大きな直径を有し、開口１１０内に着脱可能となるように嵌合される。
【００１５】
描画部２２０は、本体部２１０の軸２１２に接続された連結部２２２と、連結部２２２の端部に取り付けられた円筒状のホルダー２２４と、ホルダー２２４内に保持された磁石２２６とを有する。ホルダー２２４は、磁性体および／または非磁性体の材料から構成される。ホルダー２２４の一部は、連結部２２２から突出し、突出した平坦な端面は、磁気シートＳに対する摺動面を提供する。磁石２２６は、ホルダー２２４の端面から予め決められた距離に固定され、ホルダー２２４が磁気シート上を摺動されたとき、磁気シートに適切な磁界を作用させ文字等の描画を可能にする。
【００１６】
消去部２３０は、本体部２１０の軸２１２に接続された連結部２３２と、連結部の端部に取り付けられた円筒状のホルダー２３４と、ホルダー２３４内に保持された磁石２３６と、ホルダー２３４の軸方向を移動可能な磁力調整リング２３８とを有する。１つの例では、描画部２２０および消去部２３０は、グリップ本体１００に対して予め決められた角度で固定される。また、他の例では、描画部２２０および消去部２３０は、グリップ本体１００に対して選択された角度に調整することが可能である。例えば、軸２１２を回転させることで本体部２１０に対する描画部２２０および消去部２３０の相対角度が変化される。ユーザーは、後述するように、グリップ本体１００を略半回転（グリップ本体の軸方向の回りに約１８０度回転）させることで、グリップ本体１００を磁気シートＳに対して傾斜させた姿勢を保ちながら描画部２２０または消去部２３０の軸方向が磁気シートＳの平面に対してほぼ直交する。
【００１７】
ホルダー２３４の一部は、連結部２３２から突出し、突出した端面は、例えばドーム状に湾曲している。磁気シートＳに対するグリップ本体１００を傾斜させる角度には個人差があり、ホルダー２３４の端面を湾曲させることで、ホルダー２３４の軸方向が磁気シートＳの平面に対して必ずしも直交しなくても磁気シートＳ上での摺動が容易になる。
【００１８】
磁石２３６は、ホルダー２３４の端面から予め決められた距離の固定され、ホルダー２３４が磁気シート上を摺動されたとき、磁気シートに適切な磁界を作用させて文字等を消去する。磁力調整リング２３８は、磁性体材料から構成され、その位置を移動することで磁石２３４の磁力線の強さおよび方向を調整する。例えば、磁力調整リング２３８を磁気シート側に移動させれば、磁石２３６の磁力線の広がりが抑制され、比較的狭い範囲に磁力線を集中させることができ、反対に磁気シート側から遠ざかれば、磁石２３６の磁力線が横方向に広がり、比較的広い範囲に磁力線を拡散させることができる。このような磁力調整リング２３８より、磁気シート上の消去面積を可変したり、消去し難い文字等に対して磁力を変化させることで消去をし易くする。
【００１９】
細字用筆記部３００の構成を図２（Ｃ）に示す。細字用筆記部３００は、本体部３１０、描画部３２０および消去部３３０を有し、これらは、太字用筆記部２００のものと実質的に同様に構成されるため、詳細な説明を省略する。但し、細字用筆記部３００では、描画部３２０のホルダー３２４や磁石３２６、消去部３３０のホルダー３３４や磁石３３６は、太字用筆記部２００のものよりも相対的に小さなサイズが用いられる。これにより、磁石３２６、３３６の磁力の及ぶ範囲が限定的となり、太字用筆記部２００と比較して、磁気シート上に細字の文字等を描画したり、細かい部分を消去することが可能になる。なお、以後の説明は、代表例として太字用筆記具２００を例に用いる。
【００２０】
次に、本実施例の磁気筆記具の使用例を図３に示す。図３（Ａ）は、太字用筆記部２００の描画部２２０により磁気シートＳ上に文字等を描画するときの状態を示している。ユーザーが描画し易い角度でグリップ本体１００を把持したとき、ホルダー２２４の平坦な端面が磁気シートＳに対してほぼ平行になるように、グリップ本体１００に対する描画部２２０の角度が予め設定されている。ユーザーが磁気シードＳ上でグリップ本体１００を移動させ磁力を作用させることで、移動軌跡に応じた文字、図形等が描画される。このとき、消去部２３０の磁石２３６の磁力が磁気シートＳに及ばないように、消去部２３０が描画部２２０から一定の角度または距離で離間されている。
【００２１】
図３（Ｂ）は、太字用筆記部２００の消去部２３０により文字等を消去するときの状態を示している。ユーザーは、図３（Ａ）に示す状態から、グリップ本体１００を軸を中心に概ね１８０回転させることで、グリップ本体１００の姿勢を保持しつつ、消去部２３０を磁気シートＳ上に位置させることができる。上記したように消去部２３０のホルダー２３４の端面は湾曲されているため、ホルダー２３４の端面が磁気シートＳに対して幾分傾斜していても構わない。ユーザーが磁気シートＳ上で消去部２３０を移動させることで、移動軌跡に応じたエリアが消去される。このとき、描画部２２０の磁石２２６の磁力が磁気シートＳに及ばないように、描画部２２０が消去部２３０から一定の角度または距離で離間されている。
【００２２】
このように本実施例によれば、ユーザーは、描画から消去または消去から描画を行うときに、磁気筆記具の端部を反転させることなく、グリップ本体１００を半回転させることで、描画または消去を簡単に切替えることができる。また、太字用筆記部２００や細字用筆記部３００を着脱自在にすることで、これらを他の筆記部に交換したり（例えば、太字用筆記部２００を、中字用筆記部に取り換え）、筆記部が寿命になったときや故障したときに新品のものに簡単に交換することができる。
【００２３】
上記実施例では、グリップ本体１００に対して描画部２２０および消去部２３０の固定的に取り付けたが、本体部２１０に描画部２２０および消去部２３０の角度調整機構を設けるようにしてもよい。図４（Ａ）は、太字用筆記部の正面図、図４（Ｂ）は、その模式的な側面図である。図示するように、本体部２１０の凹部２１４内に、描画部２２０の連結部２２２と消去部２３０の連結部２３２とを収容し、これを軸２１２によって回転可能に支持するようにしてもよい。この場合、２つの連結部２２２、２３２の厚さと凹部２１４の幅との関係を適宜選択することで、描画部２２０および消去部２３０が一定の摩擦力で凹部２１４内に保持され、その保持する摩擦力よりも大きな操作力が印加されたとき、描画部２２０または消去部２３０が軸２１２を中心にθａ、θｂで回転するようにしてもよい。
【００２４】
このように描画部２２０、消去部２３０の取り付け角度の変更を可能にすることで、ユーザーが磁気シートＳに対するグリップ本体１００の姿勢を変化させても、それに対応して描画部２２０や消去部２３０を磁気シートＳに対して概ね垂直な姿勢を保持することができる。
【００２５】
次に、本発明の第２の実施例について説明する。図５（Ａ）は、第２の実施例の描画／消去ユニットを正面から見たときの模式的な概略図であり、図５（Ｂ）は、図５（Ａ）の描画／消去ユニット４００を磁気シートＳ側から見た図である。第２の実施例では、図５（Ａ）に示すように、グリップ本体１００の一方の端部にマルチタイプの描画／消去ユニット４００が設けられている。描画／消去ユニット４００は、グリップ本体１００に着脱可能に取り付けられる本体部４１０と、本体部４１０の軸４１２に回転可能に取り付けられた円盤状のローター部４２０とを有する。
【００２６】
図５（Ｃ）は、本体部４１０の正面図、図５（Ｄ）は、本体部４１０の斜視図を示している。ローター部４２０の外周方向には、予め決められた角度で離間されるように１つまたは複数の描画部や消去部が取り付けられる。図示する例では、細字用描画部４３０、消去部４４０、太字用描画部４５０が取り付けられている。細字用描画部４３０、消去部４４０、太字用描画部４５０は、先の実施例と同様にホルダーと当該ホルダー内に配置された磁石とを含んでいる。細字用描画部４３０と消去部４４０との間の角度θ１、消去部４４０と太字用描画部４５０との間の角度θ２は、それぞれの磁石が干渉しないように適宜選択されている。
【００２７】
ユーザーは、グリップ本体１００を任意の姿勢で保持させつつ、細字用描画部４３０、消去部４４０または太字用描画部４５０を磁気シートＳ上に概ね垂直となるようにローター部４２０を回転させる。ローター部４２０と軸４１２との間に一定の摩擦力を付与することで、ローター部４２０を任意の角度で停止させその姿勢を保持させることが可能である。これにより、ユーザーのグリップ本体１００の握り癖を補正することが可能である。
【００２８】
ローター部４２０は、例えば図５（Ｄ）に示すように各リング４２２、４２４、４２４に細字用描画部４３０、消去部４４０、太字用描画部４５０を取り付け、これらのリングを一体にして軸４１２に回転可能に取り付けられる。この場合、各リングを回転させることで、消去部／描画部との間の角度θ１、θ２を可変することができる。
【００２９】
図５（Ｅ）は、本体部の他の構成例を示す斜視図であり、同図に示すように本体部４１０Ａは、１つのリング４２８の外周に細字用描画部４３０、消去部４４０、太字用描画部４５０を取り付けるようにしてもよい。この場合、消去部／描画部との間の角度θ１、θ２は固定である。
【００３０】
なお、上記実施例では、ローター部４２０に細字用描画部４３０、消去部４４０、太字用描画部４５０を取り付ける例を示したが、これは一例であり、これより少ない数または多い数の描画部や消去部を取り付けるようにしてもよい。例えば、細字用描画部、太字用描画部に加えて、細字用消去部と太字用消去部とを設けるようにしてもよい。
【００３１】
次に、本発明の第３の実施例について図６を参照して説明する。第３の実施例に係る磁気筆記具５００は、ノック式により描画部または消去部を先端の開口１１４から突出させることを可能にする。グリップ本体１００Ａ内には、複数の芯５２０、５３０、５４０と、複数の芯５２０、５３０、５４０の先端に取り付けられた太字用描画部５２２、消去部５３２、細字用描画部５４２と、ノック機構５１０とが収容されている。描画部および消去部は、上記した実施例と同様に構成される。
【００３２】
ユーザーが、図示しないボタン（グリップ本体１００Ａの他方の端部に設けられる）を操作すると、ノック機構５１０が対応する芯を選択し、この芯を開口１１４から突出させ、再びユーザーがボタンを操作すると、ノック機構５１０は、突出した芯を元の位置に戻す。図６の例は、消去部５３２の芯が選択され、消去部５３２が開口１１４から突出している例を示している。
【００３３】
消去部５３２が開口１１４から突出しているとき、他の太字用描画部５２２および細字用描画部５４２の磁石は、消去部５３２の磁力に干渉しない位置にあり、つまり、磁気シートには影響を及ぼさない。太字用描画部５２２または細字用描画部５４２が開口１１４から突出している場合にも同様に、グリップ本体１００Ａ内の磁石は、磁気シートに影響を及ぼさない。
【００３４】
好ましい例では、太字用描画部５２２の外径と芯５２０を構成する軸の外径が等しく、細字用描画部５４２の外径と芯５４０を構成する軸の外径が等しく、消去部５３２の外径と芯５３０を構成する軸の外径が等しく、これらの芯５２０、５３０、５４０を構成するそれぞれの軸の外径は等しい。さらに、開口部１１４の内径は、太字用描画部５２２、細字用描画部５４２および消去部５３２の出し入れが可能となるように、これらの外径よりも幾分大きい。
【００３５】
次に、太字用描画部５２２と細字用描画部５４２の外径が同じであるときのそれぞれの描画部の内部構成について説明する。図６（Ｂ）に太字用描画部５２２の概略断面図を示す。太字用描画部５２２は、磁性体材料から構成された外径Ｄｈの円筒状のホルダー５５０と、ホルダー５５０の内部空間に配置された磁石５５２とを含む。外径Ｄｈは、概ね芯５２０の外径に等しい。ホルダー５５０の先端部には、直径Ｄ１の円形状の開口５５４が形成され、開口５５４を介して磁石５５２の表面が露出される。但し、開口５５４は、磁力線を透過可能なプラスチック等の非磁性材料から成る保護部材で塞ぐようにしてもよい。ホルダー５５０の厚さをｔとすれば、磁石５５２の表面は、ホルダー５５０の先端面から距離ｔだけ窪んだ位置にある。太字用描画部５２２で描画を行う場合、ユーザーは、開口１１４から太字用描画部５２２を突出させ、磁気シート上で太字用描画部５２２を摺動させる。このとき、磁石５４２の磁力線が開口５５４を介して磁気シートに作用し、太字用描画部５２２の移動軌跡に応じた文字等が描画される。
【００３６】
一方、細字用描画部５４２は、図６（Ｃ）に示すように、太字用描画部５２２と同様に外径Ｄｈのホルダー５６０および磁石５６２を用いて構成されるが、細字用描画部５４２のホルダー５６０の先端部には、直径Ｄ２の円形状の開口５６４が形成される（Ｄ２＜Ｄ１）。細字用描画部５４２では、直径Ｄ２を小さくすることで外部に作用する磁力線の範囲が制限されるため、太字用描画部５２２と比較して細字の描画が可能になる。
【００３７】
図６（Ｄ）に、消去部５３２の概略断面図を示す。消去部５３２は、磁性体材料から構成された外径Ｄｈの半円筒状の第１のホルダー５７０と、プラスチック等の非磁性体材料から構成された外径Ｄｈの半円筒状の第２のホルダー５７２と、磁石５７４とを含む。第１のホルダー５７０の開放端と第２のホルダー５７２の開放端とが接着剤や係合機構等により結合され、その内部空間に磁石５７４が配置される。消去部５３２で消去を行う場合、ユーザーは、開口１１４から消去部５３２を突出させ、磁気シート上で消去部５３２を摺動させる。このとき、磁石５７４の磁力線が第２のホルダー５７２を介して磁気シートに作用し、消去部５３２の移動軌跡に応じて文字等が消去される。また、磁石５７４の磁力線は、磁性体材料からなる第１のホルダー５７０に収束されるため必要以上に消去範囲が広がることが防止される。さらに、第２のホルダー５７２の先端部５７６を半円状にすることで、グリップ本体１００Ａが磁気シートに対して傾斜しても、第２のホルダー５７２は、容易に磁気シート上を摺動することができる。
【００３８】
なお、図６（Ａ）には、１つの消去部が実装された例を示しているが、消去範囲の異なる複数の消去部を実装することが可能である。消去範囲を異ならせるには、例えば、第２のホルダー５７２の先端部５７６から磁石５７４の表面までの距離Ｌを可変したり、あるいは、磁石５７４の軸方向のサイズを変更したり、半径方向のサイズを変更してもよい。それぞれ消去部を備えたそれぞれの芯の径は、概ねＤｈに等しい。
【００３９】
このように本実施例によれば、ユーザーは、ボタン等を操作するだけで、簡単に描画部と消去部との切替えを行うことができる。なお、上記例では、３つの芯が収容されている例を示しているが、これは一例であり、これより少ない数（描画部と消去部）でもよいし、これよりも多い数（太字用描画部、細字用描画部、太字用消去部、細字用消去部など）を収容してもよい。
【００４０】
次に、本発明の第４の実施例について図７を参照して説明する。第１の実施例では、グリップ本体から描画部および消去部が着脱可能である例を示したが、第４の実施例はさらに、描画部および消去部を本体部から着脱自在に構成し、描画部の描画機能や消去部の消去機能を変更することを可能にする。
【００４１】
同図に示すように、グリップ本体１００には、第１の実施例のときと同様に、本体部６００が着脱可能に取り付けられる。本体部６００には、軸６１０を介して連結部６２０が取り付けられる。連結部６２０は、例えば、軸６１０を回転させることで本体部６００に対する角度が調整されるようにしてもよい。連結部６２０には、第１の方向に延在する円柱状の空洞部６２２と第２の方向に延在する円柱状の空洞部６２４とが形成され、第１の空洞部６２２と第２の空洞部６２４との延在する方向は概ね直交する。第１の空洞部６２２内には描画部６３０が収容され、第２の空洞部６２４には消去部６４０が収容される。
【００４２】
描画部６３０は、第１の空洞部６２２内に着脱可能に収容される円筒状のハウジング６３２と、ハウジング６３２の内部空間内に保持される磁性体材料から構成されるホルダー６３４と、ホルダー６３４内に保持される磁石６３６とを有する。ハウジング６３２は、例えば、プラスチック等の非磁性体材料から構成される。ホルダー６３４の先端部には、第３の実施例で説明したように（図６（Ｂ）、（Ｃ）を参照）、磁石６３６の表面を露出するための円形状の開口が形成される。
【００４３】
本実施例では、描画部６３０を第１の空洞部６２２から取り外し、他の描画部を第１の空洞部６２２に挿入することが可能である。交換可能な複数の描画部において、それぞれのハウジング６３２の外径は等しい。また、ハウジング６３２の外径は、第１の空洞部６２２の内径と略等しい。例えば、第１の空洞部６２２とハウジング６３２とを嵌め合いにより固定してもよいし、それ以外にも、第１の空洞部６２２は、ハウジング６３２を固定するためのラッチ機構を備えてもよいし、第１の空洞部６２２の内周にネジ部を形成し、ハウジング６３２の外周にネジ部を形成し、両者を結合することも可能である。１つの例では、描画部６３０で描画するときの線の太さを変更する場合に、描画部６３０を交換する。例えば、太字用描画部から細字用描画部に交換し、あるいはその逆に交換する。太字用描画部には、第３の実施例の図６（Ｂ）に示すように、ホルダーの先端部に相対的に大きな直径Ｄ１の開口が形成されている。他方、細字用描画部には、図６（Ｃ）に示すように、ホルダーの先端部に相対的に小さな直径Ｄ２の開口が形成されている。また、他の交換例として、描画部６３０の経年変化や故障により新規な描画部への交換が可能になる。
【００４４】
消去部６４０は、第４の実施例と同様に（図６（Ｄ）を参照）、磁性体材料から構成された半円筒状の第１のホルダー６４２と、非磁性体材料から構成された半円筒状の第２のホルダー６４４と、磁石６４６とを含む。第１のホルダー６４２の開放端と第２のホルダー６４４の開放端とが結合され、その内部空間に磁石６４６が配置される。第２のホルダー６４２の先端部を半円状にすることで、グリップ本体１００が磁気シートに対して傾斜しても、第２のホルダー６４２は、磁気シート上を容易に摺動することができる。その際、磁石６４６の磁力線が第２のホルダー６４２を介して磁気シートに作用し、描画された図形等が消去される。
【００４５】
本実施例では、消去部６４０を第２の空洞部６２４から取り外し、他の消去部を第２の空洞部６２４に挿入することが可能である。交換可能な複数の消去部において、第１および第２のホルダー６４２、６４４の外径はそれぞれ等しい。また、第１および第２のホルダー６４２、６４４の外径は、第２の空洞部６２４の内径に略等しい。例えば、第２の空洞部６２４と第１および第２のホルダー６４２、６４４とを嵌め合いにより固定してもよいし、それ以外にも第２の空洞部６２４は、第１および第２のホルダー６４２、６４４を固定するためのラッチ機構を備えるようにしてもよいし、第２の空洞部６２４の内周にネジ部を形成し、第１および第２のホルダー６４２、６４４の外周にネジ部を形成し、両者を結合することも可能である。
【００４６】
１つの例では、消去部６４０の消去範囲を変更する場合に、消去部６４０を他の消去部に交換する。例えば、図７（Ｂ）に示す消去部６４０Ａは、第２のホルダー６４４の先端から磁石６４６の表面までの距離がＬ１であり、図７（Ｃ）に示す消去部６４０Ｂは、第２のホルダー６４４の先端から磁石６４６の表面までの距離がＬ２である（Ｌ１＜Ｌ２）。
距離をＬ１からＬ２に変更することで、磁石６４６の磁力線が磁気シートに及ぶ範囲が小さくなり、消去範囲が狭くなる。あるいは、磁石６４６の大きさが異なる消去部を複数用意し、任意の消去部を選択するようにしてもよい。また、図７（Ｄ）に示す消去部６４０Ｃは、磁石６４６と第２のホルダー６４４の先端との間に磁性体６４８を配置することで磁石６４６の磁力線の強さまたは広がりを調整することで消去範囲を変更するものである。こうした消去範囲が異なる複数の消去部を用意しておくことで、ユーザーは、任意の消去部を選択し、これを第２の空洞部６２４に装着することができる。
【００４７】
本実施例によれば、ユーザーは、グリップ本体の端部に取り付けられた描画部および消去部の機能を自在に他の描画部および消去部の機能に取り換えることができ、磁気筆記具の利便性をさらに向上させることができる。
【００４８】
次に、本発明の第５の実施例について図８を参照して説明する。第５の実施例は、磁気筆記具に消去部材を着脱自在に取り付けることを可能にする。同図に示すように、磁気筆記具１０Ａは、その端部に描画部７００を有する。描画部７００は、例えば、第４の実施例に記載された描画部（図６（Ｂ）、（Ｃ）を参照）と同様に構成される。さらに磁気筆記部１０Ａの描画部７００の近傍には、消去部材７１０が着脱自在に取り付けられる。
【００４９】
消去部材７１０は、リング本体７２０と、リング本体７２０に接続された消去部７３０とを有する。リング本体７２０は、磁気筆記部１０Ａのグリップ本体１００を挿入することが可能な開口７２２を有し、当該開口７２２内にグリップ本体１００を着脱可能に保持する。リング本体７２０の材料は任意であるが、例えば、プラスチックあるいはゴム等の弾性性のある材料から構成することができる。１つの例では、リング本体７２０の開口７２２の内径は、グリップ本体１００の外径よりも幾分小さく、リング本体７２０はグリップ本体１００を弾性的に保持する。
【００５０】
消去部７３０は、ペン先の描画部７００に対して一定の距離または角度を離間されるようにリング本体７２０に接続される。消去部７３０は、先の実施例で説明したように（図６（Ｄ）を参照）、ホルダー内に磁石を保持し、ホルダーの先端部７３２は円形状を有する。本実施例では、ユーザーが磁気筆記具１０Ａの先端に消去部材７１０を取り付けることで、磁気筆記具１０Ａに消去機能を持たせることができる。また、第５の実施例と同様に、消去機能または消去範囲の異なる複数の消去部材を用意しておくことで、ユーザーは、最適となる消去部材７１０を選択して磁気筆記具１０Ａに取り付けることができる。
【００５１】
以上、本発明の好ましい実施の形態について詳述したが、本発明は、特定の実施形態に限定されるものではなく、特許請求の範囲に記載された本発明の要旨の範囲内において、種々の変形・変更が可能である。
【符号の説明】
【００５２】
１０、５００：磁気筆記具                    １００、１００Ａ：グリップ本体
１１０、１１２：開口                        ２００：太字用筆記部
２１０：本体部                              ２１２：軸
２２０：描画部                              ２２２：連結部
２２４：ホルダー                            ２２６：磁石
２３０：消去部                              ２３２：連結部
２３４：ホルダー                            ２３６：磁石
２３８：磁力調整リング                      ３００：細字用筆記部
３１０：本体部                              ３２０：描画部
３３０：消去部
【図１】
2020196209.tif 000003
【図２】
2020196209.tif 000004
【図３】
2020196209.tif 000005
【図４】
2020196209.tif 000006
【図５】
2020196209.tif 000007
【図６】
2020196209.tif 000008
【図７】
2020196209.tif 000009
【図８】
2020196209.tif 000010